(57)【要約】【課題】読取完了印が印字された原稿を再度読み取ったときに、今回の読取が正常か否かをユーザが判断できるようにする。【解決手段】読取前の原稿４１には、前回の読取完了時に印字された済スタンプ３１が印字されている。原稿４１を読み取って画像を認識する。済スタンプ３１が検出されるので、今回の読取完了により、読取後の原稿４２には、済スタンプ３１の右隣に新たな済スタンプ３２が追加される。読取前の原稿に済スタンプが印字されていない場合は、原稿の画像認識により済スタンプが検出されないので、初期位置に済スタンプを印字する。【選択図】図３
2013026668.tif 000002
【特許請求の範囲】
【請求項１】
原稿を読み取る原稿読取手段と、当該原稿読取手段により読取が完了した原稿に対して読取完了印を印字する読取完了印印字手段と、前記原稿読取手段によって読み取った原稿の画像データに基づいて、過去の読取完了に対して印字された読取完了印の有無を検出する読取完了印検出手段とを有し、
前記読取完了印印字手段は、前記読取完了印検出手段により読取完了印が検出されなかったとき、所定の印字位置に読取完了印を印字し、前記読取完了印検出手段により読取完了印が検出されたとき、当該検出された読取完了印の印字位置と異なる新たな印字位置に読取完了印を印字する原稿読取装置。
【請求項２】
請求項１に記載された原稿読取装置において、
前記新たな印字位置は、当該検出された読取完了印から所定の方向に所定の距離離れた位置である原稿読取装置。
【請求項３】
請求項２に記載された原稿読取装置において、
前記所定の方向は主走査方向である原稿読取装置。
【請求項４】
請求項２に記載された原稿読取装置において、
前記距離を設定する印字間隔設定手段を有する原稿読取装置。
【請求項５】
請求項４に記載された原稿読取装置において、
前記印字間隔設定手段は、ユーザの入力に基づいて前記距離を設定する原稿読取装置。
【請求項６】
請求項４に記載された原稿読取装置において、
隣り合う読取完了印の間隔を検出する印字間隔検出手段を有し、
前記印字間隔設定手段は、当該印字間隔検出手段により検出された間隔を設定する原稿読取装置。
【請求項７】
請求項２に記載された原稿読取装置において、
前記新たな印字位置が原稿面外であるとき警告表示を行う手段を有する原稿読取装置。
【請求項８】
請求項１に記載された原稿読取装置において、
前記読取完了印検出手段の動作のオン／オフ、及び前記読取完了印検出手段により読取完了印が検出されたときの前記読取完了印印字手段の動作のオン／オフを設定する手段を有する原稿読取装置。
【請求項９】
原稿の画像を読み取る原稿読取工程と、読み取った原稿の画像データに基づいて、読取完了印の有無を検出する読取完了印検出工程と、読取完了印が検出されなかったとき、所定の印字位置に読取完了印を印字し、読取完了印が検出されたとき、当該検出された読取完了印の印字位置と異なる新たな印字位置に読取完了印を印字する工程とを有する原稿読取方法。
【請求項１０】
原稿を読み取る原稿読取手段と、当該原稿読取手段により読取が完了した原稿に対して読取完了印を印字する読取完了印印字手段とを有する原稿読取装置に、請求項９に記載された原稿読取方法の各工程を実行させるためのプログラム。
【発明の詳細な説明】
【技術分野】
【０００１】
本発明は、原稿読取が正常に完了したことを示す読取完了印を原稿に印字する機能を備えた原稿読取装置、原稿読取方法、及びプログラムに関する。
【背景技術】
【０００２】
イメージスキャナ装置、ファクシミリ装置、複写機等には、原稿の画像を読み取るための原稿読取装置が搭載されている。また、このような原稿読取装置において、原稿が正常に読み取られたことをユーザに知らせる手段として、読取が正常に完了した原稿に対して読取完了印（済スタンプとも言う）を印字することが知られている（特許文献１）。
【０００３】
しかし、上記従来の原稿読取装置では、常に原稿の同じ位置に読取完了印を印字するため、既に読取完了印が印字された原稿を再度正常に読み取ったときに、読取完了印が重なってしまうため、ユーザは今回の読取が正常か否かを判断できないという問題がある。
【発明の概要】
【発明が解決しようとする課題】
【０００４】
本発明は、このような問題を解決するためになされたものであり、その目的は、読取完了印が印字された原稿を再度読み取ったときに、今回の読取が正常か否かをユーザが判断できるようにすることである。
【課題を解決するための手段】
【０００５】
本発明の原稿読取装置は、原稿を読み取る原稿読取手段と、当該原稿読取手段により読取が完了した原稿に対して読取完了印を印字する読取完了印印字手段と、前記原稿読取手段によって読み取った原稿の画像データに基づいて、過去の読取完了に対して印字された読取完了印の有無を検出する読取完了印検出手段とを有し、前記読取完了印印字手段は、前記読取完了印検出手段により読取完了印が検出されなかったとき、所定の印字位置に読取完了印を印字し、前記読取完了印検出手段により読取完了印が検出されたとき、当該検出された読取完了印の印字位置と異なる新たな印字位置に読取完了印を印字する原稿読取装置である。
本発明の原稿読取方法は、原稿の画像を読み取る原稿読取工程と、読み取った原稿の画像データに基づいて、読取完了印の有無を検出する読取完了印検出工程と、読取完了印が検出されなかったとき、所定の印字位置に読取完了印を印字し、読取完了印が検出されたとき、当該検出された読取完了印の印字位置と異なる新たな印字位置に読取完了印を印字する工程とを有する原稿読取方法である。
本発明のプログラムは、原稿を読み取る原稿読取手段と、当該原稿読取手段により読取が完了した原稿に対して読取完了印を印字する読取完了印印字手段とを有する原稿読取装置に、本発明の原稿読取方法の各工程を実行させるためのプログラムである。
【発明の効果】
【０００６】
本発明によれば、読取完了印が印字された原稿を再度読み取ったときに、ユーザは今回の読取が正常か否かを判断することができる。
【図面の簡単な説明】
【０００７】
【図１】本発明の実施形態の原稿読取装置のシステム構成を示すブロック図である。
【図２】本発明の実施形態の原稿読取装置の機構部を示す図である。
【図３】本発明の実施形態の原稿読取装置において、済スタンプが印字された原稿を読み取ったときに、既に印字された済スタンプの隣に新たな済スタンプを印字する様子を示す図である。
【図４】本発明の実施形態の原稿読取装置の動作を示すフローチャートである。
【図５】図４における済スタンプ検出処理の内容を示すフローチャートである。
【図６】図４における済スタンプ追加処理を示すフローチャートである。
【図７】本発明の実施形態の原稿読取装置における済スタンプ間隔の設定処理を示すフローチャートである。
【図８】本発明の実施形態の原稿読取装置において、複数の済スタンプが印字された原稿を読み取ったときに、複数の済スタンプの間隔を計測し、同じ間隔で新たな済スタンプを印字する様子を示す図である。
【図９】本発明の実施形態の原稿読取装置において、図８の印字動作を実現するための処理を示すフローチャートである。
【図１０】本発明の実施形態の原稿読取装置において、既に印字された読取完了印の隣の新たな印字位置が原稿面外になったときに警告表示を行う処理を示すフローチャートである。
【図１１】本発明の実施形態の原稿読取装置において、済スタンプ追加機能をオン／オフ設定する処理を示すフローチャートである。
【図１２】本発明の実施形態の原稿読取装置において、済スタンプ追加機能のオン／オフ設定に応じた済スタンプ検出処理を示すフローチャートである。
【発明を実施するための形態】
【０００８】
以下、本発明の実施形態について図面を参照して説明する。
〈原稿読取装置のシステム構成〉
図１は、本発明の実施形態の原稿読取装置のシステム構成を示すブロック図である。この原稿読取装置は、システム全体を制御するシステム制御部１、ユーザに読取条件を設定させたり、それを表示したりする表示・操作制御部２、原稿を搬送して読取完了印である済スタンプを印字する原稿搬送制御部３、原稿を読み取って電子化する原稿読取制御部４、読み取った原稿の画像から、過去の読取完了に対して印字された済スタンプを検出する読取完了印検出手段としての済スタンプ検出部５を備えている。各部はバス６により接続され、通信可能に構成されている。
【０００９】
〈原稿読取装置の機構部の構成〉
図２は、本発明の実施形態の原稿読取装置の機構部であるＡＤＦ（Automatic Document Feeder：自動原稿搬送装置）の構成を示す図である。
【００１０】
このＡＤＦは、原稿をセットしたことを検知する原稿セットセンサ１１、原稿を搬送する各種ローラ（ピックアップローラ１２、フィードローラ１３、プルアウトローラ１４、読取前ローラ１５、排紙ローラ１６、反転ローラ１７）、搬送中の原稿位置を把握するレジストセンサ１８及び排紙センサ１９、原稿を読み取って電子化する原稿読取手段としての光電変換素子が配置されている読取ライン２０、両面原稿の表裏を反転させる分岐爪２１、並びに済スタンプを原稿に印字する読取完了印印字手段としての済スタンプユニット２２から構成される。
【００１１】
済スタンプユニット２２は主走査方向に移動可能である。ここでは、シートスルー方式のＡＤＦを例示したが、済スタンプユニットが搭載されていればフラットベッド方式のＡＤＦでもよい。
【００１２】
〈新たな済スタンプの追加〉
図３は、本発明の実施形態の原稿読取装置において、済スタンプが印字された原稿を読み取ったときに、既に印字された済スタンプの隣に新たな済スタンプを印字する様子を示す図である。
【００１３】
図示のように、済スタンプは原稿の搬送方向（副走査方向）の後端（後縁）付近の余白に印字される。また、今回の読取前の原稿４１には、前回の読取完了時に印字された済スタンプ３１が、原稿４１の搬送方向の左縁（主走査開始端、主走査方向前端）付近に印字されている。また、今回の読取完了により、読取後の原稿４２には、前回の済スタンプ３１の印字位置に対し、主走査方向の右隣（主走査方向の後端側）に新たな済スタンプ３２が追加されている。
【００１４】
なお、ここでは、済スタンプの形状を円形（○）としたが、矩形（□）、三角形（△）、多角形とすることもできる。また、各図形の内部を塗りつぶしてもよい。また、ここでは、隣り合う済スタンプ同士が接触しないように印字しているが、隣り合う済スタンプの中心位置が異なればよく、隣り合う済スタンプが接触したり、一部が重なったりしてもよい。
【００１５】
〈原稿読取装置の動作〉
図４は、原稿読取装置の動作を示すフローチャートである。この図のフローは、システム制御部１が内部の記憶装置に記憶されているプログラムを実行して各部を制御することにより実行される。
【００１６】
まず、表示・操作制御部２によりスタートボタンの押下を監視し（ステップＳ１）、押下が検出されると（ステップＳ１：yes）、原稿搬送制御部３により原稿の搬送が開始される（ステップＳ２）。
【００１７】
次に、原稿の先端が読取ラインを通過したか否かを監視し（ステップＳ３）、原稿の先端が読取ラインを通過したら（ステップＳ３：yes）、原稿読取制御部４により原稿の読取が開始される（ステップＳ４）。次いで、済スタンプ検出部５が済スタンプ検出処理を実行する（ステップＳ５）。
【００１８】
《済スタンプ検出処理》
図５は、済スタンプ検出処理の内容を示すフローチャートである。図示のように、済スタンプの色を監視し、済スタンプの形状である○図形（円形）を画像認識する（ステップＳ１１）。済スタンプは一般的に原稿色とは異なる色で押印されているため、この色を監視し、○図形となるものを画像認識で検出する（ステップＳ１２）。
【００１９】
○図形を検出したら（ステップＳ１２：yes）、その右端のものの中心点を求め、その位置をx2とする（ステップＳ１３）。さらに、x2に済スタンプ間隔(N)を加えた位置を今回の済スタンプ位置(x1)とする（ステップＳ１４）。なお、済スタンプ間隔(N)の値については後述する。○図形を検出しなかった場合（ステップＳ１２：no）、x1には初期値を設定する（ステップＳ１５）。ここで、x2及びx1は、済スタンプユニット２２の移動方向である主走査方向の位置である。
【００２０】
図４の説明に戻る。済スタンプ検出処理（ステップＳ５）の後、原稿後端の読取ライン通過を監視し（ステップＳ６）、原稿後端が読取ラインを通過したら（ステップＳ６：yes）、原稿読取制御部４は原稿読取を終了し（ステップＳ７）、原稿搬送制御部３が済スタンプ追加処理を実行する（ステップＳ８）。
【００２１】
《済スタンプ追加処理》
図６は、済スタンプ追加処理の内容を示すフローチャートである。図示のように、まず、済スタンプユニット２２を位置x1に移動させる（ステップＳ２１）。次に、原稿後端が済スタンプユニット２２の位置に到達したか否かを監視し（ステップＳ２２）、到達したことを検知したら（ステップＳ２２：yes）、原稿の搬送を停止し（ステップＳ２３）、済スタンプユニット２２を動作させて、済スタンプを印字し（ステップＳ２４）、原稿の搬送を再開する（ステップＳ２５）。
【００２２】
図４の説明に戻る。済スタンプ追加処理（ステップＳ８）の後、排紙の終了を監視し（ステップＳ９）、排紙の終了を検知したら（ステップＳ９：yes）、原稿の搬送を停止する（ステップＳ１０）。
【００２３】
《済スタンプ間隔設定処理》
図７は、済スタンプの間隔(N)を設定する処理を示すフローチャートである。この処理は、本発明の印字間隔設定手段に対応するものであり、システム制御部１及び表示・操作制御部２により、例えば図４のステップＳ１の前に実行される。
【００２４】
まず、システム制御部１は、済スタンプ間隔(N)として所定の初期値を設定する（ステップＳ３１）。次に、表示・操作制御部２からユーザに入力を求め、Nの値が変更されたら（ステップＳ３２：yes）、その値を設定する（ステップＳ３３）。変更しない場合は初期値を設定する。これにより、ユーザが任意に済スタンプ間隔を変更することができる。
【００２５】
〈印字された複数の済スタンプの間隔で新たな済スタンプを印字〉
図８は、複数の済スタンプが印字された原稿を読み取ったときに、複数の済スタンプの間隔を計測し、同じ間隔で新たな済スタンプを印字する様子を示す図である。
【００２６】
図示のように、今回の読取前の原稿４３には、過去２回の読取完了時に印字された済スタンプ３３，３４が、原稿４３の搬送方向の左縁（主走査開始端、主走査方向前端）付近の主走査方向に印字されている。今回の読取時に済スタンプ３３，３４の間隔（中心間距離）を計測し、読取後の原稿４４には、済スタンプ３４の右隣に済スタンプ３５を追加する。このとき、済スタンプ３４，３５の間隔を済スタンプ３３，３４の間隔と同じにする。
【００２７】
〈図８に示す済スタンプ追加を実現する済スタンプ検出処理〉
図９は、図８の印字動作を実現するための処理を示すフローチャートである。この図において、図５と同じ内容のステップには図５と同じ参照符号（ステップ番号）を付した。
【００２８】
図９に示すように、図８の印字動作を実現するための処理は、図５のステップＳ１３とＳ１４の間に下記のステップＳ１３ａ及びＳ１３ｂを付加したものである。これらの追加したステップは本発明の印字間隔検出手段に対応する。
【００２９】
ステップＳ１３ａでは、右端の○図形の左隣の○図形の中心点の位置(x3)を検出し、ステップＳ１３ｂでは、x2-x3の値を済スタンプ間隔(N)として設定する。つまり、右端の○図形（図８では済スタンプ３４）とその左隣の○図形（図８では済スタンプ３３）の間隔（中心間距離）を済スタンプ間隔(N)として設定する。この結果、ステップＳ１４では、今回の済スタンプの位置(x1)として、x2+Nが設定される。これにより、前回と同じ間隔で済スタンプを印字することができる。
【００３０】
〈新たな印字位置が原稿面外になる場合の警告表示処理〉
図１０は、既に印字された読取完了印の隣の新たな印字位置が原稿面外になったときに警告表示を行う処理を示すフローチャートである。この図において、図５と同じ内容のステップには図５と同じ参照符号（ステップ番号）を付した。
【００３１】
図１０に示す処理は、図５に示す処理においてステップＳ１４の次に、x1が原稿右端を超えているか否かを判定し（ステップＳ１６）、超えていた場合に（ステップＳ１６：yes）、表示・操作制御部２により警告表示を行う処理（ステップＳ１７）を追加したものである。この追加したステップは、本発明の「警告表示を行う手段」に対応する。
【００３２】
つまり、済スタンプの今回の位置(x1)を求めた際、それが原稿右端（即ち原稿主走査サイズ）よりも大きい場合には警告を表示する。これにより、新たな済スタンプを追加する余白が無いことをユーザに通知することができる。なお、ここでは、図５のステップＳ１４の次にステップ１６及びＳ１７を追加したが、図９のステップＳ１４の次に追加することもできる。
【００３３】
〈済スタンプ追加機能のオン／オフ設定〉
図１１は、済スタンプ追加機能(F)をオン／オフ設定する処理を示すフローチャートである。この処理は、本発明の「オン／オフ設定する手段」に対応するものであり、システム制御部１及び表示・操作制御部２により、例えば図４のステップＳ１の前に実行することができる。
【００３４】
まず、済スタンプ追加機能をオンに設定する（ステップＳ４１）。次に、表示・操作制御部２からユーザに入力を求め、済スタンプ追加機能のオン／オフが変更されたら（ステップＳ４２：yes）、ユーザにより入力されたオン／オフ機能に設定する（ステップＳ４３）。このように、右端の済スタンプの右隣に済スタンプを追加する機能のオン／オフをユーザが選択することができる。
【００３５】
図１２は、済スタンプ追加機能のオン／オフ設定に応じた済スタンプ検出処理を示すフローチャートである。この図において、図５と同じ内容のステップには図５と同じ参照符号（ステップ番号）を付した。
【００３６】
図１２に示すように、済スタンプ追加機能のオン／オフ設定に応じた済スタンプ検出処理は、図５に示す処理において、ステップＳ１１の前に、済スタンプ追加機能のオン／オフを判定する処理（ステップＳ１１ａ）を付加するとともに、判定結果がオンの場合はステップＳ１１に進み、判定結果がオフの場合はステップＳ１５に進むように構成したものである。従って、済スタンプ追加機能がオフの場合、済スタンプ位置(x1)は初期値のままとなる。
【００３７】
以上詳細に説明したように、本発明の実施形態の原稿読取装置は、下記（１）〜（５）の特徴を備えている。
（１）読み取った原稿から、済スタンプが検出されたとき、当該検出された済スタンプの隣に済スタンプを印字するので、ユーザは、今回の済スタンプの有無に基づいて、今回の読取が正常か否かを判断することができる。
（２）ユーザが任意に済スタンプ間隔を変更することができる。
（３）前回と同じ間隔で済スタンプを印字することができる。
（４）新たな済スタンプを追加する余白が無いことをユーザに知らせることができる。
（５）済スタンプをずらす機能のオン／オフをユーザが選択することができる。
【符号の説明】
【００３８】
１…システム制御部、２…表示・操作制御部、３…原稿搬送制御部、４…原稿読取制御部、５…済スタンプ検出部、２０…読取ライン、２２…済スタンプユニット。
【先行技術文献】
【特許文献】
【００３９】
【特許文献１】特開２００１−５３９２３号公報
【図１】
2013026668.tif 000003
【図２】
2013026668.tif 000004
【図３】
2013026668.tif 000005
【図４】
2013026668.tif 000006
【図５】
2013026668.tif 000007
【図６】
2013026668.tif 000008
【図７】
2013026668.tif 000009
【図８】
2013026668.tif 000010
【図９】
2013026668.tif 000011
【図１０】
2013026668.tif 000012
【図１１】
2013026668.tif 000013
【図１２】
2013026668.tif 000014